(57)【要約】      （修正有）【課題】愛犬と一緒に散歩をする時、犬のフンの後始末を簡単にしたい。【解決手段】中心線を折曲自在としてその両側に沿って対称に設けた２つの把手２ａ、２ｂとこれに続く収集部とを有し、前記収集部はその中心線に沿って両側に所定幅切抜いて長穴を設け、前記長穴の各両側面は円弧状の胴部とし、前記胴部の端部を端板にて閉塞して容器状とすると共に、前記胴部の表面には複数個のスリットを穿って、これらを一体成型し、前記収集部には別体として形成したポリ袋６を取り付けた。【選択図】図２
0003106709.tif 000002
【実用新案登録請求の範囲】
【請求項１】
中心線を折曲自在としてその両側に沿って対称に設けた２つの把手とこれに続く収集部とを有し、前記収集部はその中心線に沿って両側に所定幅切抜いて長穴を設け、前記長穴の各両側面は円弧状の胴部とし、前記胴部の端部を端板にて閉塞して容器状とすると共に、前記胴部の表面には複数個のスリットを穿って、これらを一体成型し、前記収集部には別体として形成したポリ袋を取り付けたことを特徴とするフン取り器。
【請求項２】
請求項１記載のフン取り器において、前記フン取り器はその材質を合成樹脂とすると共に、前記中心線部は肉薄として折曲自在に成型したことを特徴とするフン取り器。
【考案の詳細な説明】
【技術分野】
【０００１】
本考案は、愛犬をつれて散歩をする際に持参して、愛犬のフンの後始末をするフン取り器に関する。
【背景技術】
【０００２】
愛犬をつれて散歩をすれば、犬は必ずフンをする。そのため飼い主は紙袋等を持参し、犬の排便後に塵紙等にてフンを包み、持参した紙袋等に入れて持ち帰って処理するようにしている。
【０００３】
図５は、近年見られるようになったフン取り器の概要図であり、斜視図として示す。図５において、１は全体図であり、２つのハンドル2a，2bを支点３にて回転可能に軸支し、スプリング４によって先端部材5a，5bを開放状態にしている。
【０００４】
６はポリプロレピン（PP）等にて形成された透明の袋であり、ハンドル2a，2bを握って先端部材5a，5bを小さい状態にしてこれを袋の開放された内部に挿入し、その後ハンドル2a，2bをゆるめて先端部材5a，5bを広げてポリ袋を周縁に引っ掛けて図示しない係止手段にて固定するようにしたものである。
【０００５】
次に使用状態を説明する。先ず、犬が排便の姿勢をしたとき、犬の尻の下に差し出してフンをポリ袋に取り入れる。又、フンを取れなかった時は、これをシャベルの様に押し出して取り入れる。取り入れ後はハンドルを握って先端部材5a，5bを形状を大きくすることにより、ポリ袋６を取り外す。
【考案の開示】
【考案が解決しようとする課題】
【０００６】
上記従来技術によれば、２本のハンドルの加工及びこれらを軸支し、かつスプリングの取付等の部品点数の多いことに加え、加工工数が多いこと、更には犬の場合には使用し易いが、猫の場合では不適当であること、等の問題が生じてしまうことがわかった。
【０００７】
本考案は、上記課題を解決するためになされたものであり、構造簡単は勿論のこと、加工も簡単、更に猫にも使用可能なフン取り器を提供することを目的としている。
【課題を解決するための手段】
【０００８】
上記目的を達成するため、本考案の請求項１に係るフン取り器は、中心線を折曲自在としてその両側に沿って対称に設けた２つの把手とこれに続く収集部とを有し、前記収集部はその中心線に沿って両側に所定幅切抜いて長穴を設け、前記長穴の各両側面は円弧状の胴部とし、前記胴部の端部を端板にて閉塞して容器状とすると共に、前記胴部の表面には複数個のスリットを穿って、これらを一体成型し、前記収集部には別体として形成したポリ袋を取り付けた。
【０００９】
本考案の請求項２に係るフン取り器は、請求項１において、前記フン取り器はその材質を合成樹脂とすると共に、前記中心線は肉薄として折曲自在に成型した。
【考案の効果】
【００１０】
以上説明したように、本考案によればその部品を収集部とこれに続いた把手だけとし、しかも収集部の胴部にスリットを穿ち、かつそれらの各部は中心線を介して左右対称に構成し、更にその材質は合成樹脂とすると共に、中心線部分を肉薄として一体成型するだけのものである。したがって加工工数も射出成型だけの一工程ですむため極めて簡単であって、犬猫共用として使用可能である。
【考案を実施するための最良の形態】
【００１１】
図１は本考案の実施の形態を説明する図であり、斜視図として示す。図１において１はフン取り器の全体構成を示しており、材質はいわゆる合成樹脂で一括射出成型によって製造されている。又、全体形状は中心線Ｘ−Ｘ´に対して左右対称である。
【００１２】
図１において、2a−１，2b−１は２個の把手であって相互に中心線として示す肉薄の頂部にて接続され、この接続された肉薄の頂部を境に折曲自在であって、ある程度の角度だけは開閉自在となっている。7a，7bは収集部であって把手2a−１，2b−１の長手方向端部に一体になって設けられ、前記把手の開閉に応じて開閉できるようになっている。
【００１３】
なお収集部7ａの側板８は円弧を有して胴部となっており、その端部は端板９にてその端部を閉塞しており、容器状である。これは両把手2a−1，2b−1を肉薄の頂部の接続個所を境として閉じたとき、収集部7a，7bが相互に接合状態になり、この内部（円弧によって囲まれた部分）に入ったものを保持できることを意味している。
【００１４】
10は中心線Ｘ−Ｘ´を境に両収集部側に続いて設けた一つの開口であり、この開口があるからこそ、図２で後述するポリ袋６の取付が可能となる。又11は側板８に穿って設けたスリットである。
【００１５】
図２は使用に際しての手順を示す図であり、基本的には図１に示すフン取り器１の収集部7a，7bに排出されたフンを取り入れるためのポリ袋６を装着しなければならない。この場合、先ずポリ袋６を開放した状態にし、その上方から両方の収集部7a，7bをポリ袋の底面に対して平行に挿入し、各収集部間にある開口10の周縁にポリ袋の上部周縁を夫々内側に向けて折り返して、その上部からクリップ12にて固定する。
【００１６】
図３は最終的な使用状態を示す図であり、図２の状態にあるポリ袋６の垂れ下った部分６−１を摘んで、開口10の内側を上方に通す。この状態では今まで下方に垂れ下っていたポリ袋が反転された状態、つまり収集部7a，7bによってできた開口が下側に向いた状態になる。
【００１７】
この状態の把手を持ち歩き、例えば犬がフンをしてしまった場合には、図３の状態にある収集部をフンの上方にかぶせ、把手部分を握って閉じると中心線Ｘ−Ｘ´線を境に２つの収集部7a，7bが互に矢印方向に閉路してフンを取り込む。そして、この状態のフン取り具を反転すれば、ポリ袋内に入れることができる。ここで、クリップを外せば手を汚すことなく、フンの入ったポリ袋を外すことができる。
【００１８】
猫の場合については、図４に示す状態（ポリ袋を外した状態）で、箱等に敷いた砂内にあるフンを砂と共に収集部7a，7b内に取り込み、取り込んだ状態で把手を持ちつつ振動すると、スリット11が篩となって砂だけを排出し、手を汚さずにフンだけを取り出すことができる。上記説明では地面上にあるフンに対してフンとり具の開口を下にしてかぶせ、把手を握って挟みとる場合を説明したが、この取り方であっても、一回の散歩中で２，３回繰り返して使用することが出来る。
【産業上の利用可能性】
【００１９】
以上により本考案は、部品点数が少なく、一工程の射出整形加工だけで成形できるので、極めて容易に製造でき、しかも簡単にフン処理ができ、犬のみならず、猫にも使用できて都市の環境整備に最適である。
【図面の簡単な説明】
【００２０】
【図１】本考案によるフン取り器の全体斜視図
【図２】使用に際してのポリ袋の取付の手順の第一工程を示す図
【図３】最終的な使用時のポリ袋の取付け状態とフン取りとを説明する図
【図４】猫のフン取りを説明する図
【図５】従来のフン取り器を説明する図
【符号の説明】
【００２１】
１    全体図
２    ハンドル
2a，2b    把手
３    支点
４    スプリング
５    先端部材
６    ポリ袋
６−１    垂れ下った部分
7a，7b    収集部
８    側板
９    端板
10    開口
11    スリット
12    クリップ
【図１】
0003106709.tif 000003
【図２】
0003106709.tif 000004
【図３】
0003106709.tif 000005
【図４】
0003106709.tif 000006
【図５】
0003106709.tif 000007